(57)【要約】【課題】  収納性とスタンドを兼用したヘアドライヤーの置台を提供する。【解決手段】  本発明によるヘアドライヤーの置台は、内部に収納空間を有する筒状ケースの対向する壁材のそれぞれに上下方向に延びる、少なくとも一組の凹欠部を設けてある。ヘアドライヤーの不使用時は、前記内部空間に収納し、使用時は、ハンドルを一方の凹欠部に支持し、ヘアドライヤー本体後部を他方の凹欠部に支持することを可能とする。又、不使用時においては、ハンドルと風胴本体を回転自在に連結し、ハンドルの折畳み状態で、前記収納空間に反転して収納することを可能とする。【選択図】図６
2010075248.tif 000002
【特許請求の範囲】
【請求項１】
有底筒状のケースの対向する壁材に上下方向に延びる、少なくとも一組の凹欠部を設けたことを特徴とするヘアドライヤーの置台。
【請求項２】
前記一組の凹欠部は、一方の切り込みを深く、他方の切り込みを浅く形成したことを特徴とする請求項１記載のヘアドライヤーの置台。
【請求項３】
前記一組の凹欠部の切り込み縁には、弾性緩衝材を設けたことを特徴とする請求項１又は請求項２に記載のヘアドライヤーの置台。
【請求項４】
モータとヒータを内蔵し、前側に吐風口を有し後側に吸気口を有した風胴本体と、この風胴本体と連結したハンドルを備えたヘアドライヤーを、吐風口が凹欠部の上部鉛直方向からケースの前側に突出するように前記ハンドルを一方の凹欠部に支持し、前記風胴本体後側を他方の凹欠部に支持可能としたことを特徴とする請求項１から請求項３記載のヘアドライヤーの置台。
【請求項５】
前記ハンドルと前記風胴本体を回転自在に連結し、ハンドルの折畳み状態で、前記吐風口を上方に向けてケース内に収納可能としたことを特徴とする請求項４記載のヘアドライヤーの置台。
【請求項６】
前記ヘアドライヤーのハンドルには、滑り止め部材を設け、この滑り止め部材が一方の凹欠部の弾性緩衝材に係当することを特徴とする請求項４又は請求項５記載のヘアドライヤーの置台。
【請求項７】
前記ケースの底面部に通気口を設けたことを特徴とする請求項１から請求項６記載のヘアドライヤーの置台。
【発明の詳細な説明】
【技術分野】
【０００１】
本発明は、ヘアドライヤーの置台に関する。
【背景技術】
【０００２】
従来の据置き式ドライヤー、壁掛け式ドライヤー等の所謂ヘアドライヤーは、一般的に両手でブローが可能なドライヤーとして使用されている。これらのドライヤーは、使用中に両手を使えるという点にて、片手のみで使用した場合と比べて早く乾かすことが出来るメリットがある。しかしながら、その収納方法においては、置き場所がないとか、収納場所に困る、といったデメリットがある。
【０００３】
例えば、据え置き型のドライヤーを保持する保持台が、特許文献１に開示されている。しかし、不使用時の収納については考慮されていない。この為、ドライヤーが乱雑に放置されたとしたら、例えば電源コード等が著しく劣化するといった耐久性の点で問題があったり、きちんと整頓されて収納されないことにより、見た目が悪いとか、汚れやすいといった点にて、使用者の気分を害す。又、その収納場所に困ることもあった。
【０００４】
一方、特許文献２には、ヘアドライヤーの保持と収納とを兼ねた置台が開示されているが、この構成ではヘアドライヤーの未使用収納時、ヘアドライヤー本体が露出するため、外力の影響を受けやすいといった点にて、問題があった。
【特許文献１】特開平１０−１３２１９２号公報
【特許文献２】実開平１−８２８０６号公報
【発明の開示】
【発明が解決しようとする課題】
【０００５】
このようなヘアドライヤーの製品化に際しては、使用していない時は、煩雑な状態を解消して、整理収納することが課題となっていた。
【０００６】
又、このような不使用時では、電源コードが煩雑に絡まりあった状態で使用すると、その電源コードが、よじれて互いに近接した場合に異常発熱となり、火災の発生等の事故を招く恐れがある。
【０００７】
さらに、ヘアドライヤーの収納時には、周辺から受ける力の影響を受けないようにすることが必要とされている。
【０００８】
本発明は、上記事情を鑑みたもので、使用していない時は、収納場所となる置台に入れて整理収納を可能として、使用するときは、ハンズフリーで使用できるように髪をブローする構造を備えた収納性、耐久性、利便性に優れたヘアドライヤーの置台を提供することを目的とする。
【課題を解決するための手段】
【０００９】
請求項１記載のヘアドライヤーの置台は、有底筒状のケースの対向する壁材に上下方向に延びる、少なくとも一組の凹欠部を設けたことを特徴とする。
【００１０】
請求項２記載のヘアドライヤーの置台は、請求項１記載のヘアドライヤーの置台であり、前記一組の凹欠部は、一方の切り込みを深く、他方の切り込みを浅く形成したことを特徴とする。
【００１１】
請求項３記載のヘアドライヤーの置台は、請求項１又は請求項２記載のヘアドライヤーの置台であり、前記一組の凹欠部の切り込み縁には、弾性緩衝材を設けたことを特徴とする。
【００１２】
請求項４記載のヘアドライヤーの置台は、請求項１から請求項３記載のヘアドライヤーの置台であり、モータとヒータを内蔵し、前側に吐風口を有し後側に吸気口を有した風胴本体と、この風胴本体と連結したハンドルを備えたヘアドライヤーを、吐風口が凹欠部の上部鉛直方向からケースの前側に突出するように前記ハンドルを一方の凹欠部に支持し、前記風胴本体後側を他方の凹欠部に支持可能としたことを特徴とする。
【００１３】
請求項５記載のヘアドライヤーの置台は、請求項４記載のヘアドライヤーの置台であり、前記ハンドルと前記風胴本体を回転自在に連結し、ハンドルの折畳み状態で、前記吐風口を上方に向けてケース内に収納可能としたことを特徴とする。
【００１４】
請求項６記載のヘアドライヤーの置台は、請求項４又は請求項５記載のヘアドライヤーの置台であり、前記ヘアドライヤーのハンドルには、滑り止め部材を設け、この滑り止め部材が一方の凹欠部の弾性緩衝材に係当することを特徴とする。
【００１５】
請求項７記載のヘアドライヤーの置台は、請求項１から請求項６記載のヘアドライヤーの置台であり、前記ケースの底面部に通気口を設けたことを特徴とする。
【発明の効果】
【００１６】
本発明のヘアドライヤーの置台は、上記の構成を備えることにより、以下の優れた効果を奏する。
【００１７】
即ち、請求項１に記載のヘアドライヤーの置台によると、内部に収納空間を有しているため、ヘアドライヤーを使用していない時は、この収納空間にドライヤーを簡単に収納することが可能となるので、簡易な収納に極めて優れた効果を発揮する。又、ヘアドライヤーを使用する際には、ヘアドライヤーのハンドルの片方を凹欠部に簡単に支持することが可能なので手軽にヘアドライヤーを使用することが出来る。
【００１８】
請求項２に記載のヘアドライヤーの置台によると、前記一組の凹欠部は、一方の切り込みを深く、他方の切り込みを浅く形成し、上記凹欠部にヘアドライヤーを傾斜して支持することが可能なので、ハンズフリーでの使用時には、安定した姿勢を保ったまま使用することが出来る。
【００１９】
請求項３記載のヘアドライヤーの置台は、前記一組の凹欠部の切り込み縁には、弾性緩衝材を設けているので、ヘアドライヤーを前記凹欠部の切り込みに傾けても、ヘアドライヤーを傷つけることがなく、ヘアドライヤーの耐久性が向上する。
【００２０】
請求項４記載のヘアドライヤーの置台は、モータとヒータを内蔵し、前側に吐風口を有し後側に吸気口を有した風胴本体と、この風胴本体と連結したハンドルを備えたヘアドライヤーを、前記ハンドルを一方の凹欠部に支持し、前記風胴本体後側を他方の凹欠部に支持し、吐風口が凹欠部の上部鉛直方向からケースの前側に突出して支持するので、使用時は、ハンズフリーで髪をブローする際に、容易に適度な角度を維持したまま使用することが可能である。
【００２１】
請求項５記載のヘアドライヤーの置台は、前記ハンドルと前記風胴本体を回転自在に連結し、ハンドルの折畳み状態で、前記吐風口を上方に向けてケース内に収納すると共に、ハンドルと風胴本体間の隙間と一組の凹欠部とを一致させたので、ヘアドライヤーの収納時には、ヘアドライヤーを、常に固定された状態で収納でき、振動等によって生じるずれを防止できる。又、この状態のヘアドライヤー本体は、ヘアドライヤーの置台に周囲を覆われており、周辺からの外力による影響を受け難い形状となる。これにより、ヘアドライヤーの収納時には、堅固な収納形状を維持することが可能となる。更に、ヘアドライヤー本体をヘアドライヤーの置台に収納した形態では置台ごと持ち運ぶことが可能となるので場所を選ばす整理保管することが出来る。
【００２２】
請求項６記載のヘアドライヤーの置台は、ヘアドライヤーのハンドルには滑り止め部材を設け、この滑り止め部材を一方の凹欠部の弾性緩衝材に係当するので、ヘアドライヤーをヘアドライヤーの置台に立て掛け使用する際には、ヘアドライヤーが滑ることがなく、又、ヘアドライヤー本体は損傷を受けることなく使用を可能とする。
【００２３】
請求項７記載のヘアドライヤーの置台は、前記ケースの底面部に通気口を設けたので、ヘアドライヤー本体の通気口から流入する空気を風胴本体内に導入して風胴本体内を冷却し、使用後の収納ケース内に蓄えられた熱を放熱し、収納ケース本体の冷却を可能とする。又、前記風胴本体の吸気口をケースの通気口に向けて収納可能なので、ヘアドライヤー本体内に蓄えられた熱を素早く放熱し、極めて短時間でヘアドライヤー本体を冷却することが出来る。
【発明を実施するための最良の形態】
【００２４】
以下、図面を参照して、本発明の最良の実施形態を説明する。但し、以下に示す実施形態は、本発明の技術思想を具体化するためのヘアドライヤーの置台を例示するものであって、本発明をこのヘアドライヤーの置台に特定することを意図するものではなく、特許請求の範囲に含まれるその他の実施形態のものも等しく適応し得るものである。
【実施例】
【００２５】
図１は、本実施例に係るヘアドライヤーの置台の斜視図、図２はヘアドライヤーの置台の正面図、図３はヘアドライヤーの置台の背面図、図４は図２にて、ヘアドライヤーの置台をＡ−Ａ線に沿って切断した断面図、図５はヘアドライヤーの置台の底面図、図６はヘアドライヤーの置台をスタンドとして使用した状態を示す斜視図、図７はヘアドライヤーを折畳んで置台に格納した状態を示す斜視図である。
【００２６】
まず、図１から図４に基づいてヘアドライヤーの置台を説明する。ヘアドライヤーの置台は、ＡＢＳ（Ａｃｒｙｌｏｎｉｔｒｉｌｅ  Ｂｕｔａｄｉｅｎｅ  Ｓｔｙｒｅｎｅ）樹脂材料からなる有底筒状の収納ケース本体１からなる。収納ケース本体１の正面には、上方が拡開部４となったＵ字状の正面凹欠部５が形成されている。又、収納ケース本体１の背面の前記正面凹欠部５と対向する位置には、この凹欠部５より浅い全高半分位の高さ程度に略Ｕ字型に切り込まれた背面凹欠部６が形成されている。前記本体１、各凹欠部５、６の上縁には、ＰＶＣ（Ｐｏｌｙｖｉｎｙｌ  Ｃｈｌｏｒｉｄｅ）樹脂材料からなる弾性緩衝材３が積層されている。又、背面凹欠部６下端と正面凹欠部５の下端とを結んだ直線の傾斜は６５度となる。この傾斜は、収納ケース本体１に、ヘアドライヤーを立掛けて使用する際の常に安定した状態でヘアドライヤーを保持する角度となる。
【００２７】
次に図５に基づいて説明する。図５は、ヘアドライヤーの置台の底面図である。ヘアドライヤーの収納ケース本体１の底面には、複数の通気口８が形成されている。この通気口８は、例えばヘアドライヤーが載置された使用でも、通気口８を通して風を大量に収納ケース本体１の内部に取り込むことを可能にする。
【００２８】
図６は、ヘアドライヤーの収納ケースをスタンドとして使用した状態を示す斜視図である。まずヘアドライヤーについて説明する。ヘアドライヤーは、その使用時において、ヘアドライヤー本体１０内の風流路は、空気を取り込む吸気口１１、取り込んだ空気が通過する風胴本体１２、その吸い込まれた空気を吹き出す吐風口１３から構成される。ヘアドライヤーを使用する際は、ヘアドライヤー本体１０のハンドル１４を開き、収納ケース本体１に立て掛けておき使用する。この立て掛けて使用する際、ヘアドライヤーのハンドル１４は、正面凹欠部５によって支持され、前記風胴本体１２の後側を背面凹欠部６に支持した状態で、吐風口１１が正面凹欠部５の上部鉛直方向から収納ケース本体１の前側に突出して支持する。又、ヘアドライヤーのハンドル１４は、滑り止め部材が設けてあり、この滑り止め部材を正面凹欠部５の弾性緩衝材３に係当する。これによって、ヘアドライヤーが収納ケースから滑り落ちることを防止する。さらに、ヘアドライヤー本体１０の自重は、収納ケース本体１によって全て支えられる為、ヘアドライヤーの電源ケーブル（図示せず）には、ヘアドライヤー本体１０の自重による負担はかからない。
【００２９】
図７に基づいて説明する。図７は、ハンドル１４を折畳み、収納ケースに格納した状態を示す斜視図である。ヘアドライヤーの不使用時は、ヘアドライヤーは、ハンドル１４と前記風胴本体１２を回転自在に連結しているため、ハンドル１４を折畳むことによって収納が可能となる。この際、ハンドル１４と風胴本体１２との隙間１５は、正面凹欠部５、背面凹欠部６とを一致する。この為、煩雑なヘアドライヤーを収納ケース本体２に入れておくことで、振動等によるずれを防止し、整然と収納が実現できる。また、収納した状態のヘアドライヤーは、前記風胴本体１２と前記通気口８を上下方向に配設され、前記通気口８から流入される空気を風胴本体１２内に導入し、ヘアドライヤーの風胴本体１２を冷却する。従って、使用直後のヘアドライヤーを収納した場合でも、ヘアドライヤーを効率良く冷却でき、熱による劣化を防止できる。
【図面の簡単な説明】
【００３０】
【図１】本発明の一実施例に係るヘアドライヤーの置台の斜視図である。
【図２】本発明の一実施例に係るヘアドライヤーの置台の正面図である。
【図３】本発明の一実施例に係るヘアドライヤーの置台の背面図である。
【図４】本発明の一実施例に係るヘアドライヤーの置台をＡ−Ａ線で切断した断面図である。
【図５】本発明の一実施例に係るヘアドライヤーの置台の底面図である。
【図６】本発明の一実施例に係るヘアドライヤーの置台をスタンドとして使用した状態を示す斜視図である。
【図７】本発明の一実施例に係るヘアドライヤーを折畳んで置台に格納した状態を示す斜視図である。
【符号の説明】
【００３１】
１・・・収納ケース本体
２・・・収納ケース表面
３・・・縁面
４・・・拡開部
５・・・正面凹欠部
６・・・背面凹欠部
７・・・切断面
８・・・通気口
１０・・ヘアドライヤー本体
１１・・吸気口
１２・・風胴本体
１３・・吐風口
１４・・ハンドル
１５・・隙間
【図１】
2010075248.tif 000003
【図２】
2010075248.tif 000004
【図３】
2010075248.tif 000005
【図４】
2010075248.tif 000006
【図５】
2010075248.tif 000007
【図６】
2010075248.tif 000008
【図７】
2010075248.tif 000009